(57)【特許請求の範囲】
【請求項１】
便器のボウル部に至る洗浄水流路の上流側から順に、洗浄水流路を流れる洗浄水のエゼクター効果により該洗浄水に気体を混入させる気体混入部、洗浄水に混入した気体を微細化する微細気泡生成部を配設してなる微細気泡発生装置を備えた水洗便器装置であって、洗浄水流路の一部に気体混合室を設けると共に、洗浄水を噴出する噴出ノズルの出口を気体混合室にその上流側から突設し、気体混合室に突出した噴出ノズルの外周面に下流側ほど洗浄水流路の中央側に傾斜する傾斜周面を形成し、気体供給路の気体出口を、洗浄水の流れ方向における傾斜周面の最大径部に対応する気体混合室の位置か又は、傾斜周面の最大径部よりも上流側の気体混合室の位置に臨ませて配置して気体混入部を構成し、洗浄水流路に流路径を絞った絞径部、流路径を拡大した拡径部を上流側から順に連設してなるベンチュリ管状水路を形成すると共に、ベンチュリ管状水路の前記絞径部を気体混合室の下流側に接続し、ベンチュリ管状水路の拡径部で微細気泡生成部を構成し、洗浄水流路の微細気泡生成部より上流側で且つ噴出ノズルの出口及び気体出口の下流側に剤供給路の剤出口を有する、剤添加部を設けたことを特徴とする水洗便器装置。
【請求項２】
上記剤添加部が有する剤供給路の剤出口を、洗浄水流路のベンチュリ管状水路の前記絞径部に配設したことを特徴とする請求項１に記載の水洗便器装置。
【請求項３】
上記剤添加部が有する剤供給路の剤出口の開口径を、洗浄水流路を流れるときにはエゼクター効果により剤が該洗浄水に吸引されると共に洗浄水流路に洗浄水が流れないときには剤が表面張力により保持できる寸法の径に形成したことを特徴とする請求項１または２に記載の水洗便器装置。
【請求項４】
上記傾斜周面を噴出ノズルの出口の端縁にまで連続させて形成したことを特徴とする請求項１乃至３のいずれか一項に記載の水洗便器装置。
【請求項５】
上記噴出ノズルの出口の端縁に、下流ほど内径が拡大する噴出用拡径部を設けたことを特徴とする請求項１乃至４のいずれか一項に記載の水洗便器装置。
【請求項６】
微細気泡生成部の下流側の洗浄水流路に、内径を徐々に小さくした整流用絞径部を設けたことを特徴とする請求項１乃至５のいずれか一項に記載の水洗便器装置。
【請求項７】
微細気泡生成部の下流側に連続する部位の洗浄水流路に、洗浄水の流れを整える整流板を設けたことを特徴とする請求項１乃至６のいずれか一項に記載の水洗便器装置。
【請求項８】
微細気泡発生装置の洗浄水出口に、洗浄水の流れを整える整流板を設けたことを特徴とする請求項１乃至７のいずれか一項に記載の水洗便器装置。
【発明の詳細な説明】
【技術分野】
【０００１】
本発明は、洗浄水に気体を混入する水洗便器装置に関するものである。
【背景技術】
【０００２】
従来から、水洗便器装置のボウル部２への洗浄水に気体を混入し、ボウル部２の洗浄効果や節水効果や静音効果を図ったものはたとえば特許文献１のように知られている。ここで、洗浄水に気体を混入する装置としてはエゼクター効果を利用するものやエアポンプを用いて強制混入させるものが一般的である。後者の装置は駆動部品であるエアポンプによって装置が大型化するものであるから、特に設置スペースの確保が難しい水洗便器装置には前者の装置の適用が好ましいのである。
【０００３】
たとえば特許文献１の水洗便器装置では図１２のようなエゼクター効果を利用した気体混入部４が用いられている。この気体混入部４では、洗浄水流路３に気体混入室６が設けられると共に、気体供給路１３の気体出口１３ａが洗浄水の流れ方向に略直交するように気体混入室６内に配設され、この気体混入室６の上流側室壁に洗浄水の流れる流路径が絞られた噴出ノズル１４の出口１４ａが開口して形成されている。この気体混入部４によると、噴出ノズル１４の出口１４ａから噴出する洗浄水によって気体混入室６に負圧が生じ、この負圧によって気体供給路１３の気体出口１３ａから気体混入室６内に気体が流入し、この気体が噴出ノズル１４の出口１４ａから噴出する洗浄水に混入される。詳しくは、気体供給路１３の気体出口１３ａは噴出ノズル１４の出口１４ａから噴出する洗浄水の側面に直接対向するように配置されているから、実質的に気体は気体供給路１３の気体出口１３ａに対向する洗浄水の側面部分から洗浄水内に混入されるようになっている（矢印Ｂ）。しかしながら、このようにして混入された気体は洗浄水中に偏りをもって大きな気泡として混入されてしまうものであり、気体を洗浄中に偏り無く略均等に混入させることができないといった問題があった。
【特許文献１】特開２００１−２７９７８７号公報
【発明の開示】
【発明が解決しようとする課題】
【０００４】
ところで、本出願人は水に含有する微細気泡の効果や微細気泡の生成に関する技術の研究を進め、たとえば気泡状の気体を混入した洗浄水に圧力を加えることで気泡にせん断力が付加されて気泡が微細化して微細気泡を生成する技術や、微細気泡には吸着作用等があって洗浄対象物への洗浄作用を向上できる効果を見出すに至っている。しかしながら、上記図１２の気体混入部４を微細気泡発生装置に採用すると、気体混入部４で水に混入させた気体は水中に均一に存在させることができず、微細気泡生成部で生成する微細気泡の径にムラが生じてしまって、均一な径の微細気泡を含有した水を得ることができないのであって、つまり微細気泡による効果を洗浄対象物に有効に発揮させることができないのである。
【０００５】
なお、気体混入部４から微細気泡生成部までの洗浄水流路３の長さを長くした場合には、気体混入部４で水に混入させた気体は徐々に水中に拡散されて次第に均一に存在させることができるものの、このような微細気泡発生装置１０は設置スペースの限られる水洗便器装置に用いることはできないものであった。
【０００６】
本発明は上記の従来の問題点に鑑みて為したものであって、気体混入部で気体を洗浄水中に均一な状態に混入できて微細気泡生成部で均一な微細気泡を生成可能にする小型の微細気泡発生装置を備えた水洗便器装置を提供することを課題とするものである。
【課題を解決するための手段】
【０００９】
上記課題を解決するために本発明の請求項１に係る水洗便器装置は、便器のボウル部２に至る洗浄水流路３の上流側から順に、洗浄水流路３を流れる洗浄水のエゼクター効果により該洗浄水に気体を混入させる気体混入部４、洗浄水に混入した気体を微細化する微細気泡生成部５を配設してなる微細気泡発生装置１０を備えた水洗便器装置であって、洗浄水流路３の一部に気体混入室６を設けると共に、洗浄水を噴出する噴出ノズル１４の出口１４ａを気体混入室６にその上流側から突設し、気体混入室６に突出した噴出ノズル１４の外周面に下流側ほど洗浄水流路３の中央側に傾斜する傾斜周面２０を形成し、気体供給路１３の気体出口１３ａを、洗浄水の流れ方向における傾斜周面２０の最大径部２０ａに対応する気体混入室６の位置か又は、傾斜周面２０の最大径部２０ａよりも上流側の気体混入室６の位置に臨ませて配置して気体混入部４を構成し、洗浄水流路３に流路径を絞った絞径部１６、流路径を拡大した拡径部１７を上流側から順に連設してなるベンチュリ管状水路１５を形成すると共に、ベンチュリ管状水路１５の前記絞径部１６を気体混入室６の下流側に接続し、ベンチュリ管状水路１５の拡径部１７で微細気泡生成部５を構成し、洗浄水流路３の微細気泡生成部５より上流側で且つ噴出ノズル１４の出口１４ａ及び気体出口１３ａの下流側に剤供給路２５の剤出口２５ａを有する、剤添加部２３を設けたことを特徴とする。
これによると、噴出ノズル１４から噴出する洗浄水にエゼクター効果により気体を混入する際には、気体供給路１３の気体出口１３ａから気体混入室６に供給した気体は噴出ノズル１４の傾斜周面２０の全周に亙り且つ沿うようにして流れるのであり、つまり上記気体を洗浄水の全周から洗浄水の斜め外方から該洗浄水の中央側に向けて混入させることができ、気体混入部４で気体を洗浄水中に偏り無く略均等に混入させることができるのであり、したがって、洗浄水流路３における気体混入部４の直ぐ下流部に微細気泡生成部５が配設された場合でも、上記洗浄水中に偏り無く略均等に混入された気体を微細気泡生成部５で微細化できるのであって安定的で且つ均質な微細気泡を得ることができるのである。すなわち、気体混入部４に微細気泡生成部５を近接して配設できたことから、水洗便器装置に求められる小型の微細気泡発生装置１０を得ることができるのである。
また、剤添加部２３を設けたことで、たとえば剤添加部２３から洗浄水に添加されるのが界面活性剤であった場合には、界面活性剤が洗浄水の表面張力を低下させて微細気泡生成部５で行う混入気体の微細化を促進できるのであり、微細気泡生成部５での安定的で且つ均質な微細気泡の生成に寄与、ひいては微細気泡発生装置１０の小型化を図ることができる。
また、請求項２に係る水洗便器装置は、請求項１において、上記剤添加部２３が有する剤供給路２５の剤出口２５ａを、洗浄水流路３のベンチュリ管状水路１５の前記絞径部１６に配設したことを特徴とする。これによると、剤添加部２３での洗浄水への剤の添加を洗浄水流路３を流れる洗浄水によるエゼクター効果によって行わせることができ、剤添加部２３の添加に圧送ポンプ等の特別な駆動部品が必要でなくて剤添加部２３の構成簡略化を図ることができる。
また、請求項３に係る水洗便器装置は、請求項１または２において、上記剤添加部２３が有する剤供給路２５の剤出口２５ａの開口径を、洗浄水流路３を流れるときにはエゼクター効果により剤が該洗浄水に吸引されると共に洗浄水流路３に洗浄水が流れないときには剤が表面張力により保持できる径に形成したことを特徴とする。これによると、剤を強制的に洗浄水に圧送、添加するような剤ポンプを用いずとも剤添加部２３による洗浄水への剤の供給の有無を洗浄水流路３の洗浄水の流れの有無によって確実に規定できるのであり、剤添加部２３の簡単な構成を確保しつつも剤供給の動作の確実性を備えることができる。
また、請求項４に係る水洗便器装置は、請求項１乃至３のいずれか一項において、上記傾斜周面２０を噴出ノズル１４の出口１４ａの端縁にまで連続させて形成したことを特徴とする。これによると、傾斜周面２０に沿わせて流した気体を噴出ノズル１４から憤出した洗浄水に噴出直後から混入できるのであり、気体の洗浄水中への偏り無く略均等な状態での混入を促進できる。
【００１０】
また、請求項５に係る水洗便器装置は、請求項１乃至４のいずれか一項において、上記噴出ノズル１４の出口１４ａの端縁に、下流ほど内径が拡大する噴出用拡径部２１を設けたことを特徴とする。これによると、噴出ノズル１４の出口１４ａから噴出する洗浄水は噴出用拡径部２１によって径方向外側に広がるように噴出するのであり、該噴出する洗浄水の外面部での流れ方向と噴出ノズル１４の傾斜周面２０に沿う気体の流れ方向との交差角度を大きくでき、洗浄水への気体の混入部分を乱流状態にして気液界面を増加させることができ、気体の洗浄水中への偏り無く略均等な状態での混入を促進できる。
【００１１】
また、請求項６に係る水洗便器装置は、請求項１乃至５のいずれか一項において、微細気泡生成部５の下流側の洗浄水流路３に、内径を徐々に小さくした整流用絞径部２２を設けたことを特徴とする。これによると、微細気泡を含有する洗浄水に対して整流用絞径部２２により洗浄水の流速を高めることができ、上記洗浄水に含有された微細気泡同士が衝突して合一化することを防止することができる。
【００１２】
また、請求項７に係る水洗便器装置は、請求項１乃至６のいずれか一項において、微細気泡生成部５の下流側に連続する部位の洗浄水流路３に、洗浄水の流れを整える整流板１９を設けたことを特徴とする。これによると、微細気泡生成部５を通った直後の微細気泡を含有する洗浄水に対して整流板１９により洗浄水の流れを整えることができ、上記洗浄水に含有された微細気泡同士が衝突して合一化することを防止することができる。
【００１３】
また、請求項８に係る水洗便器装置は、請求項１乃至７のいずれか一項において、微細気泡発生装置１０の洗浄水出口１０ａに、洗浄水の流れを整える整流板１９を設けたことを特徴とする。これによると、微細気泡発生装置１０から出る微細気泡を含有する洗浄水に対して整流板１９により洗浄水の流れを整えることができ、上記洗浄水に含有された微細気泡同士が衝突して合一化することを防止することができる。
【発明の効果】
【００１７】
本発明は、気体混入部で気体を洗浄水中に均一な状態に混入できたことにより、洗浄水流路の気体混入部の直ぐ下流部に設けた微細気泡生成部であっても均一な微細気泡を生成することを可能にし、気体混入部と微細気泡生成部とを近接位置に配置できて微細気泡発生装置を小型化できる、といった利点を有する。
【発明を実施するための最良の形態】
【００１８】
以下、本発明を添付図面に示す実施形態に基いて説明する。
【００１９】
図１及び図２に本発明の実施の形態の例を示す。図１のように、本例の水洗便器装置は、ボウル部２を備えると共にサイホントラップ２７を備えた陶器または樹脂製の便器本体１を有している。このサイホントラップ２７によりボウル部２の底部には溜水が形成されるようになっている。ボウル部２の上部には洗浄水流路３を流れた洗浄水の出口である吐水口７が臨むように設けられている。洗浄水流路３は図示しない水道管に直結して設けられており、洗浄水流路３には電磁弁で構成された洗浄水供給弁８が設けられている。この洗浄水供給弁８はボウル部２への洗浄水の吐水動作時に開くように図示しない制御部によって制御される。
【００２０】
この洗浄水流路３には、トイレルームの空気から成る気体を洗浄水流路３に混入させると共に上記洗浄水流路３に混入させた気体を微細化して微細気泡を生成可能にした微細気泡発生装置１０が設けられている。なお、本例では、微細気泡発生装置１０は洗浄水流路３の吐水口７手前の便器本体１内に内装できるほどに小型化されたものが用いられている。
【００２１】
微細気泡発生装置１０は、内部に洗浄水流路３が貫通する筒状の本体ケース１１を有しており、本体ケース１１内の洗浄水流路３の上流側から、気体を混入させる気体混入部４、混入した気体を微細化させて微細気泡を生成可能にする微細気泡生成部５が順に設けられている。
【００２２】
気体混入部４は、洗浄水流路３に設けた気体混入室６と、逆止弁１２を有し気体混入室６に気体出口１３ａを臨ませた気体供給路１３と、気体混入室６に内部に通した洗浄水を出口１４ａから噴出する噴出ノズル１４とを有している。噴出ノズル１４は出口１４ａ側ほど内径及び外径を細くした円錐筒状形状に施されており、洗浄水流路３の同軸線上に配置されると共に噴出ノズル１４の出口１４ａ側の部位を気体混入室６にその上流側から突出させている。上記噴出ノズル１４の気体混入室６への突出部位（噴出ノズル１４の出口１４ａ近傍の部位）の外周面には、下流側ほど洗浄水流路３の中央側に傾斜するような傾斜周面２０が形成されている。なお、傾斜周面２０は噴出ノズル１４の出口１４ａ側の端面にまで連続するように形成されている。また、気体供給路１３の気体出口１３ａは、気体混入室６における噴出ノズル１４の出口１４ａ側の端面よりも洗浄水流路３の上流側の部位で、且つ、洗浄水の流れ方向における傾斜周面２０の最大径部２０ａに対応する気体混入室６の位置に、該傾斜周面２０の最大径部２０ａに対向して開口するように設けられている。
【００２３】
微細気泡生成部５は、洗浄水に混入した気泡状の気体を微細化させて微細気泡を生成可能にした部位である。本例では、気泡状の気体の微細化は洗浄水流路３に設けた圧力急変部によって行わせており、この圧力急変部としては気泡に減圧・加圧を作用させ得るベンチュリ管状水路１５が採用されている。この圧力急変部では、気泡は、ベンチュリ管状水路１５の入口である絞径部１６を通る際に流速が速くなるとともに減圧されて膨張し、ベンチュリ管状水路１５の拡径部１７で洗浄水流路３の断面積が増加するに従って加圧されて収縮するが、この時に生じるせん断力によって分割されて気泡が微細化されるのである。ベンチュリ管状水路１５の絞径部１６は上記気体混入部４の気体混入室６の下流側に開口するように接続されており、また厳密に、微細気泡生成部５は微細気泡が生成されるベンチュリ管状水路１５の拡径部１７がこれを構成している。
【００２４】
なお、本例の微細気泡発生装置１０では、微細気泡生成部５の下流の洗浄水流路３にメッシュ構造または多孔構造の板材で構成された整流板１９を配設しており、微細気泡を更に細分化させると共に、洗浄水を整流化することで微細気泡が合一して気泡径が大きくなることを回避させているが、整流板１９の設置は任意で構わない。
【００２５】
具体的に、微細気泡発生装置１０の本体ケース１１は、上流管部材１１ａ、中流管部材１１ｂ、下流管部材１１ｃを同軸上に一体に連結することで形成されている。上流管部材１１ａにはその下流側部位に円錐筒形状の噴出ノズル１４が形成されている。中流管部材１１ｂはその上流側部位に気体供給路１３の気体出口１３ａ部分及び気体混入室６が形成されており、下流側部位にベンチュリ管状水路１５が形成されている。下流管部材１１ｃには整流板１９が設けられている。上流管部材１１ａの噴出ノズル１４は中流管部材１１ｂの上流側部位に外嵌されるように連結されるのであり、気体混入室６はその上流側に閉塞された状態になっている。ボウル部２に供給するように洗浄水流路３に洗浄水を流した際には噴出ノズル１４の出口１４ａから洗浄水が噴出されるのであるが、このときには気体混入室６に負圧が発生して該洗浄水にエゼクター効果によって洗浄水への気体の混入が行われるようになっている。
【００２６】
ここで、噴出ノズル１４から噴出する洗浄水にエゼクター効果により気体を混入する際には、気体供給路１３の気体出口１３ａから気体混入室６に供給された気体は、図２（ｂ）のように、コアンダ効果によって噴出ノズル１４の傾斜周面２０の全周に亙り且つ沿うようにして流れるのであり、つまり、上記気体は洗浄水の全周から洗浄水の斜め外方から洗浄水の中央側に向けて混入させることができ、洗浄水の比較的内部の部分に洗浄水流路３の径方向に比較的薄膜状で且つ洗浄水流路３の流れ方向に連続するような筒状の気体層Ａを形成するようにして洗浄水中に気体を混入できるのであって、洗浄水流路３を流れる洗浄水が気体混入部４を通過して程なく気体を洗浄水中に偏り無く略均等に混入させることが可能にされているのである。
【００２７】
このように気体混入部４で洗浄水中に偏り無く略均等に気体を混入できたことから、微細気泡生成部５では上記洗浄水中に偏り無く略均等に混入された気泡状の気体を微細化して均質な微細気泡を安定的に得ることができるのである。しかして、本例のように気体混入部４の直ぐ下流の位置に微細気泡生成部５を配設することができるのである。つまり、従来技術にある気体混入部４では洗浄水に偏りのある状態でしか気体を混入できなく、洗浄水中に偏り無く略均等に気泡状の気体を存在させるには、気泡状の気体が自然に洗浄水中に拡散するための長い洗浄水流路３を必要とするものであったが、洗浄水中に偏り無く略均等に気体を混入可能にする気体混入部４を有した本例の微細気泡発生装置１０では、微細気泡生成部５で微細化して均質な微細気泡の安定的な生成を確保するのに、上記長い洗浄水流路３を設ける必要が無くなり、気体混入部４の直ぐ下流位置に微細気泡生成部５を配設することができるのであって、したがって、水洗便器装置で必要とされた小型の微細気泡発生装置１０を得ることができたのである。なお、特に本例のように洗浄水流路３の気体混入部４の直ぐ下流部分に拡径部１７を設けたものは拡径部１７内面と気体層Ａの間に洗浄水を流入できて気体の洗浄水への混入効率の向上に資することができたものである。
【００２８】
微細気泡生成部５で生成した微細気泡が含有した洗浄水をボウル部２に吐水すると、ボウル部２の表面に上記微細気泡によって汚れ除去効果や防汚効果を発揮させると共に洗浄水に視覚効果を発揮させることができる。詳しくは、洗浄水内に隈なく広がった大量の微細気泡がボウル部２の表面へ衝突して破裂することによりボウル部２の表面に付着した汚れを剥離させたり、微細気泡の崩壊時に生じる超音波によりボウル部２の表面に付着した汚れを剥離させたり分解させたり、微細気泡界面が有する吸着特性（マランゴニ効果など）によりボウル部２の表面に付着した汚れや懸濁物質に吸着して上記汚れや懸濁物質の見かけの比重を小さくして剥離、浮上分離させたり、微細気泡表面が負に帯電することによって懸濁物質に静電吸着して懸濁物質を微細気泡で包むことができることで、ボウル部２の汚れ除去効果が得られるのである。また、微細気泡は上記吸着特性等によりボウル部２表面に付着して覆うことができるから汚物のボウル部２表面への付着を防止でき、防汚効果が得られるのである。また、洗浄水内に隈なく広がった大量の微細気泡によると洗浄水内の光の散乱度合いを変化できて洗浄水を白濁化できる視覚効果が得られるのである。無論、洗浄水に気泡を含有させたことによる効果（水跳ね防止効果や静音効果や節水効果）も同様に得ることができる。詳しくは、気泡を含有する洗浄水はボウル部２への摩擦抵抗が減少するのであって水跳ね防止効果が得られると共に洗浄音が減少して静音効果が得られるのであり、また、気泡を含有する洗浄水は見かけの嵩比重が減少するので節水効果が得られるのである。なお、上記微細気泡特有の汚れ除去効果や防汚効果等は気泡径が約２００μｍ以下の場合に効果的に得ることができる。更に言うと、気泡径が約５０μｍ以下の場合には微細気泡を洗浄水内に長く留まるように滞留できて上記汚れ除去効果や防汚効果等を持続的に得ることができるのである。なお、上述の微細気泡の各効果はその気泡径が特にμｍサイズ（１ｍｍ未満）のもので顕著に得ることができる。叙述したように本例では小型の微細気泡発生装置１０であっても、微細気泡生成部５での微細気泡の生成が安定的になされるので、上記微細気泡の諸効果をボウル部２に確実に作用させることができたものである。
【００２９】
以下、本発明の実施の形態の他例を列挙する。先に説明した例と同構成の部位は同符号を付して説明を省き、異なる部位につき説明をしていく。
【００３０】
図３の例は、上記噴出ノズル１４の出口１４ａの端縁に、下流ほど内径が拡大する噴出用拡径部２１を設けた例である。この噴出用拡径部２１によると噴出ノズル１４の出口１４ａから噴出する洗浄水を径方向外側に広がるように噴出させることができるのであり、しかして、該噴出する洗浄水の外面部での流れ方向と噴出ノズル１４の傾斜周面２０に沿う気体の流れ方向との交差角度を大きくでき、つまり、洗浄水への気体の混入部分を乱流状態にして気液界面を増加させることができるのであるから、気体の洗浄水中への偏り無く略均等な状態での混入を促進できたものである。
【００３１】
また、図４の例は、噴出ノズル１４の出口１４ａの端縁に尖部２８を形成した例である。尖部２８は上記傾斜周面２０を噴出ノズル１４の出口１４ａの端縁（出口１４ａの内面の気体混入室６側の端部）にまで連続させることで形成されている。傾斜周面２０に沿わせて流した気体を噴出ノズル１４から憤出した洗浄水に噴出直後から混入できるのであり、気体の洗浄水中への偏り無く略均等状態での混入を促進できる。
【００３２】
また、図５の例は、微細気泡生成部５の下流側で整流板１９の代わりに洗浄水流路３の径を絞った整流用絞径部２２を形成している。この整流用絞径部２２によると洗浄水の流速を高めることができ、整流板１９と同様に、上記洗浄水に含有された微細気泡同士が衝突して合一化することを防止できる。
【００３３】
また、図６の例は、整流板１９を微細気泡生成部５の下流に連続する部位の洗浄水流路３に設けた例である。これによると、微細気泡生成部５を通った直後の微細気泡を含有する洗浄水に対して整流板１９により洗浄水の流れを整えることができ、上記洗浄水に含有された微細気泡同士が衝突して合一化することを防止することができる。
【００３４】
また、図７の例は、整流板１９を微細気泡発生装置１０の洗浄水出口１０ａに設けた例である。これによると、微細気泡発生装置１０から出る微細気泡を含有する洗浄水に対して整流板１９により洗浄水の流れを整えることができ、上記洗浄水に含有された微細気泡同士が衝突して合一化することを防止することができる。また、微細気泡発生装置１０の洗浄水出口１０ａに設けた整流板１９は清掃や取外しが容易でメンテナンス性も向上できる。なお、上記適所に配置した各整流板１９や整流用絞径部２２は各々併用することもできる。
【００３５】
また、図８の例、図９の例、図１０及び図１１の例は、いずれも洗浄水に界面活性剤を添加する剤添加部２３を設けた例である。これら剤添加部２３は洗浄水流路３の微細気泡生成部５よりも上流側に配置されている。
【００３６】
図８の例の剤添加部２３は、界面活性剤を充填した剤タンク２４に剤供給路２５を接続し、この剤供給路２５に洗浄水の逆流を防止する逆止弁２６を配置し、剤供給路２５の剤出口２５ａを気体混入室６に配設している。つまり、噴出ノズル１４の出口１４ａから憤出する洗浄水によって気体混入室６に発生する負圧を利用したエゼクター効果によって洗浄水に剤が添加される構造が採用されている。
【００３７】
ここで、剤添加部２３に充填される剤としては、たとえば界面活性剤や芳香剤が挙げられる。なお、剤は、気体、液体または固体のいずれのでもよい。剤添加部２３によって界面活性剤を洗浄水に添加したことによると、洗浄水の表面張力を低下できて微細気泡生成部５で行うせん断力等による気泡の微細化を促進してより径の小さい微細気泡の生成に資することができる。また、微細気泡界面に界面活性剤を含ませることができるために特に汚物の油分に対する洗浄効果の向上を図ることができ、また、気泡が水面に浮上しても破裂して消滅し難くなるために溜水の水面には微細気泡層を形成させることができて臭気の拡散防止効果や水跳ね防止効果の向上を図ることができる。更に言うと、溜水の表面を微細気泡層で覆うことができるから、溜水に含有させた微細気泡の気体への抜けを抑制でき、長期にわたって溜水中に微細気泡を含有させて防汚効果を発揮させることができる。剤添加部２３によって芳香剤を洗浄水に添加したことによると、芳香成分を内在させた微細気泡を得ることができて、溜水内に長く留まるように滞留して徐々に破裂して溜水外のトイレ空間に抜けていくといった微細気泡の有する特性によって、トイレルームに徐々に芳香成分を放散させてトイレルームに長期に亙って微香を漂わせてその使用感を高めることができる。ここで、微細気泡と洗浄水との気液界面には洗浄水に添加された剤成分が集まって剤濃度が高い状態にあるから、剤成分の効果を微細気泡の効果と相乗して効果的に発揮させることができる。なお、剤供給路２５には剤を強制的に洗浄水に圧送、添加するような剤ポンプを設けてもよいが、本例のように剤出口２５ａを洗浄水流路３の負圧が生じる部位に設けることで、エゼクター効果を利用できて剤ポンプの出力低減を図ることができる。
【００３８】
図９の例、図１０の例の各剤添加部２３は、剤を充填した剤タンク２４に剤供給路２５を接続し、剤供給路２５の剤出口２５ａを微細気泡発生装置１０のベンチュリ管状水路１５の絞径部１６に臨ませて設けている。つまり、ベンチュリ管状水路１５の絞径部１６を流れる洗浄水が発生させる負圧を利用したエゼクター効果によって洗浄水に剤が添加される構造が採用されている。なお、図１０の剤タンク２４は微細気泡発生装置１０の本体ケースの周方向側面部に一体に設けてある。剤はその種類の違いによって粘度も異なるものであるが、構成する剤の粘度を勘案して剤供給路２５の剤出口２５ａの開口径を、洗浄水流路３を流れるときには図１１（ｂ）のようにエゼクター効果により剤が該洗浄水に吸引されると共に、洗浄水流路３に洗浄水が流れないときには図１１（ａ）のように剤が剤出口２５ａに表面張力により保持される径寸法に形成することも好ましい。これによると、剤ポンプを用いずとも剤添加部２３による洗浄水への剤の供給の有無を洗浄水流路３の洗浄水の流れの有無によって確実に規定できるのであり、剤添加部２３の簡単な構成を確保しつつも剤供給の動作の確実性を備えることができる。また、これにより剤供給路２５に設ける逆止弁２６も不要にできる。なお、上記各例では剤添加部２３を微細気泡発生装置１０に１つ設けた例を例示したが、異なる剤の剤添加部２３を微細気泡発生装置１０に複数設けて異なる剤の効果を同時に発揮させてもよい。
【図面の簡単な説明】
【００３９】
【図１】本発明の実施の形態の例の水洗便器装置であって、（ａ）は全体の概略側断面図であり、（ｂ）は要部の側断面図である。
【図２】（ａ）は同上の微細気泡発生装置の構成ブロック図であり、（ｂ）は同上の洗浄水への気体の混入動作を説明する説明図である。
【図３】本発明の実施の形態の更に他例の水洗便器装置の要部の側断面図である。
【図４】本発明の実施の形態の更に他例の水洗便器装置の要部の側断面図である。
【図５】本発明の実施の形態の更に他例の水洗便器装置の要部の側断面図である。
【図６】本発明の実施の形態の更に他例の水洗便器装置の要部の側断面図である。
【図７】本発明の実施の形態の更に他例の水洗便器装置の要部の側断面図である。
【図８】本発明の実施の形態の更に他例の水洗便器装置であり、（ａ）は全体の側断面図であり、（ｂ）は要部の側断面図である。
【図９】本発明の実施の形態の更に他例の水洗便器装置の要部の側断面図である。
【図１０】本発明の実施の形態の更に他例の水洗便器装置の要部の側断面図である。
【図１１】同上の剤供給部の動作を説明する説明図であり、（ａ）は洗浄水流路に洗浄水が流れていない場合に剤出口に表面張力によって剤が保持されている状態を示し、（ｂ）は洗浄水流路に洗浄水が流れている場合に剤出口からエゼクター効果によって剤が洗浄水に添加される状態を示している。
【図１２】従来技術の例の気体混入部の側断面図である。
【符号の説明】
【００４０】
１  便器本体
２  ボウル部
３  洗浄水流路
４  気体混入部
５  微細気泡生成部
６  気体混入室
１０  微細気泡発生装置
１３  気体供給路
１４  噴出ノズル
１５  ベンチュリ管状水路
１６  絞径部
１７  拡径部
２０  傾斜周面
２０ａ  最大径部
【図１】
0005276254.tif 000002
【図２】
0005276254.tif 000003
【図３】
0005276254.tif 000004
【図４】
0005276254.tif 000005
【図５】
0005276254.tif 000006
【図６】
0005276254.tif 000007
【図７】
0005276254.tif 000008
【図８】
0005276254.tif 000009
【図９】
0005276254.tif 000010
【図１０】
0005276254.tif 000011
【図１１】
0005276254.tif 000012
【図１２】
0005276254.tif 000013